(57)【要約】【課題】容易且つ綺麗に書類を収納できる書類カバーを提供する。【解決手段】表面シート５とこれに対向する裏面シート６の背側縁同士を接続してなり、これら両シート５、６間に書類４を収納する書類カバーである。両シート５、６の接続部の上下方向の一端部又は両端部に、収納された書類４の背側端部の上下方向の一端を当接して書類４を位置決めするためのストッパー１２が形成される。【選択図】図１
2010284877.tif 000002
【特許請求の範囲】
【請求項１】
表面シートとこれに対向する裏面シートの背側縁同士を接続してなり、これら両シート間に書類を収納する書類カバーにおいて、前記両シートの接続部の上下方向の一端部又は両端部に、収納された書類の背側端部の上下方向の一端を当接して書類を位置決めするためのストッパーを形成して成ることを特徴とする書類カバー。
【請求項２】
本体の背側端部の上下方向の一端部に表面シートの背側端部から前記接続部を経て裏面シートの背側端部に至る切溝が形成され、本体の上下の端縁のうち前記切溝側の端縁と切溝との間の部分を前方に向けて突出させて、前記ストッパー部を形成して成ることを特徴とする請求項１に記載の書類カバー。
【発明の詳細な説明】
【技術分野】
【０００１】
本発明は書類カバーに関する。
【背景技術】
【０００２】
従来から例えば特許文献１のような書類ホルダーが利用されている。この書類ホルダーは、表面シートとこれに対向する裏面シートの背側縁同士を接続してなる書類カバーと、スライドバーとで構成され、書類カバーに書類を挿入した後、書類カバーの背側端部をスライドバーに挿入して、該スライドバーにて書類の背側端部を書類カバーを介して挟持することで書類が綴じられる。
【先行技術文献】
【特許文献】
【０００３】
【特許文献１】特開２００５−１５３４３３号公報
【発明の概要】
【発明が解決しようとする課題】
【０００４】
ところで、上記書類ホルダーを用いて綺麗に書類を綴じるには、綴じた状態で書類カバーの書類から上下に突出した余剰部の上下幅を均一にする必要がある。しかし、このようにするには、例えば定規等を用いて書類カバーの上縁から書類の上縁までの距離と、書類カバーの下縁から書類の下縁までの距離を測る等、煩わしい作業が必要となる。また、書類カバーをスライドバーに挿入する際に書類カバー内の書類が動きやすく、このため書類を綺麗に綴じることが容易ではなかった。
【０００５】
本発明は上記従来の事情に鑑みてなされたものであって、容易且つ綺麗に書類を収納できる書類カバーを提供することを課題とする。
【課題を解決するための手段】
【０００６】
上記課題を解決するために本発明の書類カバーは、表面シート５とこれに対向する裏面シート６の背側縁同士を接続してなり、これら両シート５、６間に書類４を収納する書類カバーにおいて、前記両シート５、６の接続部７の上下方向の一端部又は両端部に、収納された書類４の背側端部の上下方向の一端を当接して書類４を位置決めするためのストッパー１２を形成して成ることを特徴とする。
【０００７】
この構成により、書類４の背側端部の上下方向の一端をストッパー１２に当てて書類４を位置決めすることができる。このため、書類カバー２の上下の余剰部１６の幅を均一として容易且つ綺麗に書類４を書類カバー２に収納できる。また、スライドバー３等の綴じ具によって書類カバー２に収納された書類４の背側端部を書類カバー２を介して挟持する際にも、ストッパー１２に書類４の上下方向の一端を当てて書類カバー２に対して位置決めすることができ、綴じ具によって書類４が位置ずれすることを防止でき、容易に書類４を綴じることができる。
【０００８】
また、本体の背側端部の上下方向の一端部に表面シート５の背側端部から前記接続部７を経て裏面シート６の背側端部に至る切溝１３が形成され、本体の上下の端縁のうち前記切溝１３側の端縁と切溝１３との間の部分を前方に向けて突出させて、前記ストッパー１２を形成することが好ましい。この場合、ストッパー１２を簡単に形成することができる。
【発明の効果】
【０００９】
本発明の書類カバーにあっては容易且つ綺麗に書類を収納できる。
【図面の簡単な説明】
【００１０】
【図１】本発明の実施形態の一例を示し、書類ホルダーにて書類を綴じる際に、挟み部にスライドバーを取り付ける様子を示した斜視図である。
【図２】書類ホルダーにて書類を綴じた状態を示す正面図である。
【図３】図２のＡ矢視図である。
【図４】書類カバーに書類を収納した状態を示す斜視図である。
【発明を実施するための形態】
【００１１】
以下、添付図面に基づいて本発明の実施形態につき説明する。図１乃至図４に示す本例の書類カバー２は、書類４を綴じる綴じ具として用いられるスライドバー３を加えて書類ホルダー１を構成するものである。
【００１２】
書類カバー２は透明な合成樹脂製のシートを接続部７を介して２つ折りにして形成され、矩形状の表面シート５と、表面シート５と同大同形で表面シート５と対向する裏面シート６と、両シート５、６の背側縁同士を一体に接続する接続部７とを備え、これら表面シート５、裏面シート６、及び接続部７で本体が構成されている。このうち接続部７は綴じ代として利用される。なお、書類カバー２は半透明又は不透明なものであってもよいものとする。
【００１３】
図示例の書類カバー２は両シート５、６の左縁同士が接続部７で接続され、該接続部７側を除く上下方及び右方の三方が開放されている。
【００１４】
表面シート５及び裏面シート６の夫々の背側縁は書類カバー２を形成する際に折り曲げられる折り目８を介して接続部７と一体に接続されており、つまり両折り目８の間の部位が接続部７となっている。
【００１５】
書類カバー２の背側端部には表面シート５及び裏面シート６の夫々の背側端部と接続部７とで構成される断面コ字状の挟み部９が形成されている。
【００１６】
挟み部９には上下に長いスライドバー３が取り付けられる。スライドバー３は書類カバー２の上下長さと略同じ長さを有し、挟み部９に取り付けたとき書類カバー２の上下全長に亘る。
【００１７】
図３に示すようにスライドバー３は挟み部９の表裏両側に配置される挟持片１１の背側縁同士を接続してなり、断面略コ字状に形成されている。スライドバー３はその弾性力によって対向する両挟持片１１により挟み部９を挟み込むことで、挟み部９に挿入された書類４の背側端部を挟んで書類４を保持するものである。スライドバー３の長手方向の両端には挿入口１０が形成され、該挿入口１０から書類カバー２の挟み部９を両挟持片１１間に挿入できるようになっている。
【００１８】
書類ホルダー１を用いて書類４を綴じるには、まず書類カバー２に書類４を収納する。このとき、書類４は背側端部が挟み部９に挿入され、背側端面が接続部７に当たるまで挿入する。次に書類カバー２の挟み部９の上下方向のいずれか一方の端部（例えば上端部）をスライドバー３の一方の挿入口１０から差し込み、この後、スライドバー３を上下全長に亘って挟み部９が挿入されるまで挟み部９に沿ってスライドさせる。このようにすることで、スライドバー３の両挟持片１１により挟み部９を介して書類４の背側端部が挟持されて、書類４が保持されることとなる。
【００１９】
ここで図１等に示すように書類カバー２の挟み部９の下端部にはストッパー１２が形成されている。
【００２０】
ストッパー１２は挟み部９を構成するシートの一部を内側に向けて突出させることで形成される。具体的には、挟み部９の下端部には、挟み部９の下縁に沿って表面シート５の背側端部から接続部７を経て裏面シート６の背側端部に至る切溝１３が形成されている。そして、切溝１３の下方部、すなわち、書類カバー２の切溝１３側の端縁である下縁と切溝１３との間の部分を、その両側及び中央に形成された上下に伸びる折り目１４（図４参照）で折曲することで形成される。このように形成されたストッパー１２は書類カバー２内において挟み部９の下端部から右側に向けて突出し、突端側程幅狭となる断面Ｖ字状をなしている。
【００２１】
ストッパー１２は前記書類カバー２に書類４を収納する際に書類４の上下方向の位置決めを行うために利用される。すなわち、書類カバー２に書類４を収納する際、図１のように挟み部９に挿入された書類４の背側端部の下端をストッパー１２の上縁に当接させ、これにより書類４をそれ以上下方へ移動しない状態とする。そして、この状態で前述のようにスライドバー３を挟み部９に取り付けて該スライドバー３で書類４を挟持することで、書類４が所定位置に配置された状態で綴じられることとなる。
【００２２】
前記書類４の背側端部の下端をストッパー１２の上縁に当接した状態では、書類カバー２の書類４から上下に突出した余剰部１６の上下幅が均等になるよう設定されている。例えばＡ４サイズの書類４を綴じる場合、前記上下の余剰部１６の上下幅が５ｍｍとなるように設定する。
【００２３】
以上説明した書類カバー２にあっては、書類４の背側端部の上下方向の一端となる下端部をストッパー１２に当てて書類４の上下方向の位置決めができ、これにより、書類カバー２の上下の余剰部１６の幅を均一として綺麗に書類４を綴じることができる。また、スライドバー３を挟み部９に取り付ける際にも、ストッパー１２に書類４の背側端部の一端を当てて書類４を書類カバー２に対して位置決めすることができる。このためスライドバー３の取付時に書類４が書類カバー２に対して位置がずれることを防止できる。殊に前記スライドバー３を挟み部９に取り付けるにあたって、挟み部９をストッパー１２とは反対側の端部である上端部からスライドバー３に挿入する場合には、前記ストッパー１２にて下方にスライドさせるスライドバー３によって書類４が下方に移動することを確実に防止でき、容易にスライドバー３を書類カバー２に取り付けることができ、また、このスライドバー３によりストッパー１２を隠すことができる。
【００２４】
なお、本例のストッパー１２は書類カバー２の下端部にのみ設けたが、接続部７の上端部にのみ設けてもよいし、また、接続部７の上下両端部に設けてもよいものとする。
【符号の説明】
【００２５】
２  書類カバー
４  書類
５  表面シート
６  裏面シート
１２  ストッパー
【図１】
2010284877.tif 000003
【図２】
2010284877.tif 000004
【図３】
2010284877.tif 000005
【図４】
2010284877.tif 000006